(57)【特許請求の範囲】
【請求項１】
下部外周部に形成された係止溝、この係止溝の上部に形成された軸心方向の切欠部とからなる内筒部材と、この内筒部材の外周部を覆うように回転可能に取付けられた螺旋溝を有する螺旋部材およびこの螺旋部材の外周部を覆い下部寄りの部位に形成した係止片が前記内筒部材の係止溝と係合して回動可能に取付けられた外筒部材あるいは内壁面に螺旋溝が形成され下部寄りの部位に形成した係止片が前記内筒部材の係止溝と係合して回動可能に取付けられた外筒部材と、前記内筒部材の係止溝形成部位に形成された前記外筒部材の係止片が該係止溝より抜けるように撓ませることができる切り溝と、前記内筒部材内に上下移動可能に取付けられた口紅等を支持する該内筒部材の切欠部および前記螺旋溝と係合する係合ピンを有する皿部材と、前記内筒部材の下端部と嵌合固定されるハカマ部材本体、このハカマ部材本体に嵌合固定あるいは一体形成されたキャップ嵌合部材とからなるハカマ部材と、このハカマ部材の内壁面に形成された前記内筒部材の切り溝と嵌合することができる撓み防止突片とからなることを特徴とする口紅等の収納容器。
【請求項２】
下部外周部に形成された係止溝、この係止溝の上部に形成された軸心方向の切欠部とからなる内筒部材と、この内筒部材の外周部を覆うように回転可能に取付けられた螺旋溝を有する螺旋部材およびこの螺旋部材の外周部を覆い下部寄りの部位に形成した係止片が前記内筒部材の係止溝と係合して回動可能に取付けられた外筒部材あるいは内壁面に螺旋溝が形成され下部寄りの部位に形成した係止片が前記内筒部材の係止溝と係合して回動可能に取付けられた外筒部材と、前記内筒部材の係止溝形成部位に形成された前記外筒部材の係止片が該係止溝より抜けるように撓ませることができる対向する部位に配置された２個の切り溝と、前記内筒部材内に上下移動可能に取付けられた口紅等を支持する該内筒部材の切欠部および前記螺旋溝と係合する係合ピンを有する皿部材と、前記内筒部材の下端部と嵌合固定されるハカマ部材本体、このハカマ部材本体に嵌合固定あるいは一体形成されたキャップ嵌合部材とからなるハカマ部材と、このハカマ部材のキャップ嵌合部材に形成された前記内筒部材の切り溝に嵌合することができる２個の撓み防止突片とからなることを特徴とする口紅等の収納容器。
【請求項３】
外周部に形成された係止溝および上部内壁面に形成されたねじ部を有する内筒部材と、この内筒部材の外周部を覆い下部寄りの部位に形成した係止片が該内筒部材の係止溝と係合して回動可能に取付けられた内壁面に軸心方向の切欠溝が形成された外筒部材と、前記内筒部材の係止溝形成部位に形成された前記外筒部材の係止片が該係止溝より抜けるように撓ませることができる切り溝と、前記内筒部材内に上下移動可能に取付けられた口紅等を支持する皿部材本体、この皿部材本体に形成された前記外筒部材の切欠溝と係合する係合ピン、前記皿部材本体の底面に形成された下方へ突出し前記内筒部材のねじ部と螺合する可動部材とからなる皿部材と、前記内筒部材の下端部と嵌合固定されるハカマ部材本体、このハカマ部材本体に嵌合固定あるいは一体形成されたキャップ嵌合部材とからなるハカマ部材と、このハカマ部材の内壁面に形成された前記内筒部材の切り溝と嵌合することができる撓み防止突片とからなることを特徴とする口紅等の収納容器。
【請求項４】
外周部に形成された係止溝および上部内壁面に形成されたねじ部を有する内筒部材と、この内筒部材の外周部を覆い下部寄りの部位に形成した係止片が該内筒部材の係止溝と係合して回動可能に取付けられた内壁面に軸心方向の切欠溝が形成された外筒部材と、前記内筒部材の係止溝形成部位に形成された前記外筒部材の係止片が該係止溝より抜けるように撓ませることができる対向する部位に配置された２個の切り溝と、前記内筒部材内に上下移動可能に取付けられた口紅等を支持する皿部材本体、この皿部材本体に形成された前記外筒部材の切欠溝と係合する係合ピン、前記皿部材本体に形成された下方へ突出し前記内筒部材のねじ部と螺合するねじ棒とからなる皿部材と、前記内筒部材の下端部と嵌合固定されるハカマ部材本体、このハカマ部材本体に嵌合固定あるいは一体形成されたキャップ嵌合部材とからなるハカマ部材と、このハカマ部材のキャップ嵌合部材に形成された前記内筒部材の切り溝に嵌合することができる２個の撓み防止突片とからなることを特徴とする口紅等の収納容器。
【発明の詳細な説明】
【０００１】
【発明の属する技術分野】
本発明は口紅、リップクリーム、スチッアイシャドウ、スチックファンデーション等の棒状化粧品を収納する口紅等の収納容器に関する。
【０００２】
【従来の技術】
従来、ハカマ部材と、このハカマ部材の内底部と嵌合する嵌合部、この嵌合部の上部外周部にリング状の巻き締め溝、この巻き締め溝の上部に軸心方向の切欠部を有する内筒部材本体とからなる内筒部材と、この内筒部材の外周部に回動可能に取付けられた螺旋溝を有する螺旋部材と、この螺旋部材の外周部を覆い下端部の前記内筒部材の巻き締め溝と対応する部位で回動可能に巻き締めされた外筒部材と、前記内筒部材内に上下移動可能に取付けられた口紅を支持する該内筒部材の切欠部および前記螺旋部材の螺旋溝と係合する係合ピンを有する皿部材とを用いて口紅等の収納容器を構成している。
【０００３】
【発明が解決しようとする課題】
従来のこの種の口紅収納容器は、外筒部材の下端部を内筒部材に回動可能に巻き締めしているため、皿部材に口紅を充填してしまうと、口紅の交換等は口紅収納容器の組み付け状態では皿部材や内筒部材の掃除が大変でコスト高となり、廃棄処分せざるを得ないという欠点があるとともに、内筒部材と外筒部材を分解することが困難なため再利用することは難しく、産業廃棄物となってしまうという欠点があった。
【０００４】
本発明は以上のような従来の欠点に鑑み、口紅等を充填した後にでも外筒部材や内筒部材を抜き取り、新しい口紅等を容易に充填しなおせ経済的に使用できるとともに、効率よく分解組み立てができ、容易に部品別あるいは素材別に分別することができる口紅等の収納容器を提供することを目的としている。
【０００５】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【０００６】
【課題を解決するための手段】
上記目的を達成するために、本発明は下部外周部に形成された係止溝、この係止溝の上部に形成された軸心方向の切欠部とからなる内筒部材と、この内筒部材の外周部を覆うように回転可能に取付けられた螺旋溝を有する螺旋部材およびこの螺旋部材の外周部を覆い下部寄りの部位に形成した係止片が前記内筒部材の係止溝と係合して回動可能に取付けられた外筒部材あるいは内壁面に螺旋溝が形成され下部寄りの部位に形成した係止片が前記内筒部材の係止溝と係合して回動可能に取付けられた外筒部材と、前記内筒部材の係止溝形成部位に形成された前記外筒部材の係止片が該係止溝より抜けるように撓ませることができる切り溝と、前記内筒部材内に上下移動可能に取付けられた口紅等を支持する該内筒部材の切欠部および前記螺旋溝と係合する係合ピンを有する皿部材と、前記内筒部材の下端部と嵌合固定されるハカマ部材本体、このハカマ部材本体に嵌合固定あるいは一体形成されたキャップ嵌合部材とからなるハカマ部材と、このハカマ部材の内壁面に形成された前記内筒部材の切り溝と嵌合することができる撓み防止突片とで口紅等の収納容器を構成している。
【０００７】
【発明の実施の形態】
以下、図面に示す実施の形態により、本発明を詳細に説明する。
【０００８】
図１ないし図７に示す本発明の第１の実施の形態において、１はハカマ部材で、このハカマ部材１はハカマ部材本体２と、このハカマ部材本体２に嵌合固定されたキャップ嵌合部材３と、このキャップ嵌合部材３の内壁面下部部位の対向する部位に形成された内方に突出する山形状の２個の撓み防止突片４、４とで構成されている。
【０００９】
５は前記ハカマ部材１内に下端部が挿入され嵌合固定される主に合成樹脂材で形成された内筒部材で、この内筒部材５は内筒部材本体６と、前記ハカマ部材１の内底部に着脱可能に嵌合する嵌合部７と、この嵌合部７の上部外周部に形成されたリング状の係止溝８と、このリング状の係止溝８上の対向する部位に形成された前記撓み防止突片４、４と嵌合する２個の切り溝９、９と、前記リング状の係止溝８の上部に形成された、上部が開口された軸心方向の切欠部１０とで構成されている。
【００１０】
１１は前記内筒部材５の外周部を覆うように回転可能に取付けられ螺旋部材で、この螺旋部材１１は螺旋部材本体１２と、この螺旋部材本体１２に形成された下端部が開口する螺旋溝１３とで構成されている。
【００１１】
１４は前記螺旋部材１１の外周部を覆うように取付けられた主にアルミ等の金属材で形成された外筒部材で、この外筒部材１４は図５に示すように、前記内筒部材５の係止溝８と対応する部位に組み付け状態で巻き締めされたリング状の係止片１５が形成される。
【００１２】
１６は前記内筒部材５内に上下移動可能に取付けられた口紅１７を支持する皿部材で、この皿部材１６は前記内筒部材５の切欠部１０および前記螺旋溝１３と係合する係合ピン１８が形成されている。
【００１３】
１９は前記ハカマ部材１のキャップ嵌合部材３に着脱可能に嵌合されるキャップである。
【００１４】
上記構成の口紅収納容器２０は、内筒部材５内に皿部材１６を収納するとともに、外周部に螺旋部材１１および外筒部材１４を組み付けた後、内筒部材５の係止溝８と対応する外筒部材１４を図５に示すように巻き締めし、口紅収納容器本体２１を組み立てる。
しかる後、口紅収納容器本体２１の下端部をハカマ部材１内に挿入し、撓み防止突片４と内筒部材５の切り溝９とが嵌合するように嵌合させる。皿部材１６には口紅１７が充填されるが、充填した口紅１７の交換等で分解する場合、図７に示すように口紅収納容器本体２１をハカマ部材１から取り外すことにより、撓み防止突片４は内筒部材５の切り溝９から解除される。
この状態で、内筒部材５の嵌合部７と外筒部材１４とを持って無理やり引張ることにより、外筒部材１４の係止片１５は内筒部材５の係止溝８部位に形成された切り溝９が撓み、該係止溝８部位が変形して抜き取ることができる。
【００１５】
このため、新しい皿部材１６を内筒部材５内に収納し、螺旋部材１１が内部に位置する外筒部材１４内に内筒部材５を押し込むことにより、口紅収納容器本体２１の再組み付けが完了する。
【００１６】
さらに、口紅収納容器本体２１は最小部品単位まで分解することができるので洗浄したり、壊れたものは交換等をして効率よく経済的に再利用することができるとともに、処分時には商品別あるいは素材別等に適切に分別され処理されることができる。
【００１７】
【発明の異なる実施の形態】
次に、図８ないし図２５に示す本発明の異なる実施の形態につき説明する。なお。これらの本発明の異なる実施の形態の説明に当って、前記本発明の第１の実施の形態と同一構成部分には同一符号を付して重複する説明を省略する。
【００１８】
図８ないし図１０に示す本発明の第２の実施の形態において、前記本発明の第１の実施の形態と主に異なる点は、ハカマ部材本体２の上部にキャップ嵌合部材３Ａを嵌合固定し、該ハカマ部材本体２の内壁面部位に棒状の撓み防止突片４Ａ、４Ａを形成した点で、このように形成されたハカマ部材１Ａを用いて構成した口紅収納容器２０Ａにしても、前記本発明の第１の実施の形態と同様な作用効果が得られる。
なお、本発明の実施の形態ではハカマ部材本体２とキャップ嵌合部材３Ａとを一体形成したものを使用しても同様な作用効果が得られる。
【００１９】
図１１ないし図１３に示す本発明の第３の実施の形態において、前記本発明の第１の実施の形態と主に異なる点は、内筒部材５の係止溝８と対応する外筒部材１４Ａ部位にポンチで突状の複数個の係止片１５Ａを形成して回動可能に取付けた点で、このように形成された口紅収納容器本体２１Ａを用いて構成した口紅収納容器２０Ｂにしても前記本発明の第１の実施の形態と同様な作用効果が得られる。
なお、前記本発明の各実施の形態では螺旋部材１１と外筒部材１４、１４Ａとを別体に形成したものに付いて説明したが、これに限らず内壁面に螺旋溝１３を形成した外筒部材を用いても同様な作用効果が得られる。
【００２０】
図１４ないし図１９に示す本発明の第４の実施の形態において、前記本発明の第１の実施の形態と主に異なる点は、下部に嵌合部７、この嵌合部７の上部外周部に形成された係止溝８、この係止溝８の上方に突出した先端部の内壁面に形成されたねじ部２２とからなる内筒部材５Ａと、この内筒部材５Ａの外周部を覆い下部の該内筒部材５Ａの係止溝８と対応する部位に形成されたリング状の係止片１５によって回動可能に取付けられた内壁面に軸心方向の切欠溝２３が形成された外筒部材１４Ｂと、前記内筒部材５Ａ内に上下移動可能に取付けられた口紅１７を支持する皿部材本体２４、この皿部材本体２４に形成された前記外筒部材１４Ｂの切欠溝２３、２３と係合する係合ピン１８、１８、前記皿部材本体２４に形成された下方へ突出し、前記内筒部材５Ａのねじ部２２と螺合するねじ棒２５とからなる皿部材１６Ａとで構成した口紅収納容器本体２１Ｂを用いた点で、このように構成された口紅収納容器２０Ｃにしても、前記本発明の第１の実施の形態と同様な作用効果が得られる。
【００２１】
図２０に示す本発明の第５の実施の形態において、前記本発明の第４の実施の形態と主に異なる点は、撓み防止突片４Ａを形成したハカマ部材１Ａを用いた点で、このように形成された口紅収納容器２０Ｄにしても、前記本発明の第４の実施の形態と同様な作用効果が得られる。
なお、本発明の実施の形態ではハカマ部材本体２Ａとキャップ嵌合部材３Ａとを一体形成したものを使用しても同様な作用効果が得られる。
【００２２】
図２１ないし図２３に示す本発明の第６の実施の形態において、前記本発明の第４の実施の形態と主に異なる点は、内筒部材５Ａの係止溝８と対応する外筒部材１４Ｃ部位にポンチで突状の複数個の係止片１５Ａを形成して回動可能に取付けた点で、このように形成された口紅収納容器本体２１Ｃを用いて構成した口紅収納容器２０Ｅにしても、前記本発明の第４の実施の形態と同様な作用効果が得られる。
【００２３】
図２４および図２５に示す本発明の第７の実施の形態において、前記本発明の第４の実施の形態と主に異なる点は、切り溝部２６、この切り溝部２６の下方に形成されたハカマ部材１の嵌合時に撓み防止突片４が通過することができる通過溝２７とからなる切り溝９Ａを形成した内筒部材５Ｂを用いた点で、このように形成された口紅収納容器本体２１Ｄを用いた構成した口紅収納容器２０Ｆにしても、前記本発明の第４の実施の形態と同様な作用効果が得られる。
【００２４】
なお、前記本発明の各実施の形態では口紅収納容器本体とハカマ部材内に着脱可能に取付けられるものについて説明したが、本発明はこれに限らず、口紅収納容器本体をハカマ部材内に固定的に取付けても皿部材を最上部に位置させ、外筒部材とハカマ部材とを引張ることにより抜き取ることができるとともに、皿部材を最下部に位置させても無理やり引張ることにより抜き取ることができる。
【００２５】
また、皿部材が内筒部材に挿入することができるように形成されているものであれば、上部が開口していない切欠部を有する内筒部材を用いてもよい。
【００２６】
さらに、前記本発明の各実施の形態では皿部材に口紅を充填するものについて説明したが、本発明はこれに限らず、リップクリーム、スチックアイシャドウ、スチックファンデーション等の棒状化粧品を皿部材に充填しても同様に使用することができる。
【００２７】
【発明の効果】
以上の説明から明らかなように、本発明にあっては次に列挙する効果が得られる。
【００２８】
（１）下部外周部に形成された係止溝、この係止溝の上部に形成された軸心方向の切欠部とからなる内筒部材と、この内筒部材の外周部を覆うように回転可能に取付けられた螺旋溝を有する螺旋部材およびこの螺旋部材の外周部を覆い下部寄りの部位に形成した係止片が前記内筒部材の係止溝と係合して回動可能に取付けられた外筒部材あるいは内壁面に螺旋溝が形成され下部寄りの部位に形成した係止片が前記内筒部材の係止溝と係合して回動可能に取付けられた外筒部材と、前記内筒部材の係止溝形成部位に形成された前記外筒部材の係止片が該係止溝より抜けるように撓ませることができる切り溝と、前記内筒部材内に上下移動可能に取付けられた口紅等を支持する該内筒部材の切欠部および前記螺旋溝と係合する係合ピンを有する皿部材と、前記内筒部材の下端部と嵌合固定されるハカマ部材本体、このハカマ部材本体に嵌合固定あるいは一体形成されたキャップ嵌合部材とからなるハカマ部材と、このハカマ部材の内壁面に形成された前記内筒部材の切り溝と嵌合することができる撓み防止突片とからなるので、ハカマ部材を外した状態で内筒部材の嵌合部と外筒部材とを持って引張ることにより外筒部材の係止片が内筒部材の係止溝より外れ、抜き取ることができる。
したがって、口紅等の充填後の交換作業を行なうことができるとともに、従来のように内筒部材、皿部材、螺旋部材、外筒部材を組み付けたもの全体を廃棄処分する必要がなく、経済的に使用することができる。
【００２９】
（２）前記（１）によって、最小部品単位にまで分解することができるので、各々の部品を交換したり洗浄したりして効率よく再利用することができ、素材別等に容易に分別することができ、経済的に再利用することができる。
【００３０】
（３）前記（１）によって、内筒部材およびハカマ部材の形状を変えるだけでよいので、部品点数が増加することなく、従来とほぼ同様なコストで製造することができる。
【００３１】
（４）請求項２、３および４も前記（１）〜（３）と同様な効果が得られる。
【図面の簡単な説明】
【図１】本発明の第１の実施の形態の断面図。
【図２】本発明の第１の実施の形態の一部破断分解図。
【図３】本発明の第１の実施の形態の内筒部材の説明図。
【図４】本発明の第１の実施の形態のハカマ部材の説明図。
【図５】本発明の第１の実施の形態の外筒部材の巻き締め状態の説明図。
【図６】本発明の第１の実施の形態の口紅収納容器本体の説明図。
【図７】本発明の第１の実施の形態の外筒部材の抜き取り状態の説明図。
【図８】本発明の第２の実施の形態の断面図。
【図９】本発明の第２の実施の形態のハカマ部材の説明図。
【図１０】図９の１０−１０線に沿う断面図。
【図１１】本発明の第３の実施の形態の断面図。
【図１２】本発明の第３の実施の形態の口紅収納容器本体の説明図。
【図１３】内筒部材に外筒部材を取付けた状態の説明図。
【図１４】本発明の第４の実施の形態の断面図。
【図１５】本発明の第４の実施の形態の外筒部材の説明図。
【図１６】本発明の第４の実施の形態の内筒部材の説明図。
【図１７】本発明の第４の実施の形態の皿部材の説明図。
【図１８】本発明の第４の実施の形態の外筒部材の巻き締め状態の説明図。
【図１９】本発明の第４の実施の形態の口紅収納容器本体の説明図。
【図２０】本発明の第５の実施の形態の断面図。
【図２１】本発明の第６の実施の形態の断面図。
【図２２】本発明の第６の実施の形態の口紅収納容器本体の説明図。
【図２３】内筒部材に外筒部材を取付けた状態の説明図。
【図２４】本発明の第７の実施の形態の断面図。
【図２５】本発明の第７の実施の形態の内筒部材の説明図。
【符号の説明】
１、１Ａ：ハカマ部材、  ２：ハカマ部材本体、
３、３Ａ：キャップ嵌合部材、
４、４Ａ：撓み防止突片、５、５Ａ、５Ｂ：内筒部材、
６、６Ａ、６Ｂ：内筒部材本体、
７：嵌合部、            ８：係止溝、
９、９Ａ：切り溝、      １０：切欠部、
１１：螺旋部材、        １２：螺旋部材本体、
１３：螺旋溝、          １４、１４Ａ〜１４Ｃ：外筒部材、
１５、１５Ａ：係止片、  １６、１６Ａ：皿部材、
１７：口紅、            １８：係合ピン、
１９：キャップ、        ２０、２０Ａ〜２０Ｆ：口紅収納容器、
２１、２１Ａ〜２１Ｄ：口紅収納容器本体、
２２：ねじ部、          ２３：切欠溝、
２４：皿部材本体、      ２５：ねじ棒、
２６：切り溝部、        ２７：通過溝。
【図１】
0004039726.tif 000002
【図２】
0004039726.tif 000003
【図３】
0004039726.tif 000004
【図４】
0004039726.tif 000005
【図５】
0004039726.tif 000006
【図６】
0004039726.tif 000007
【図７】
0004039726.tif 000008
【図８】
0004039726.tif 000009
【図９】
0004039726.tif 000010
【図１０】
0004039726.tif 000011
【図１１】
0004039726.tif 000012
【図１２】
0004039726.tif 000013
【図１３】
0004039726.tif 000014
【図１４】
0004039726.tif 000015
【図１５】
0004039726.tif 000016
【図１６】
0004039726.tif 000017
【図１７】
0004039726.tif 000018
【図１８】
0004039726.tif 000019
【図１９】
0004039726.tif 000020
【図２０】
0004039726.tif 000021
【図２１】
0004039726.tif 000022
【図２２】
0004039726.tif 000023
【図２３】
0004039726.tif 000024
【図２４】
0004039726.tif 000025
【図２５】
0004039726.tif 000026